(57)【特許請求の範囲】
【請求項１】
所定外形を成す水溶性の固形入浴剤と、前記固形入浴剤に内包された玩具とを備えた玩具内包入浴剤であって、
前記玩具は、前記玩具内包入浴剤とは別の玩具内包入浴剤の固形入浴剤、又は前記固形入浴剤に内包された別の玩具と連結可能に構成され、
前記玩具と前記別の玩具にはそのままの状態で連結するための玩具連結部が設けられており、当該連結によって前記玩具の形態と前記別の玩具の形態とは異形態の合体玩具を作製可能に構成され、
前記玩具と前記別の玩具とは分解および組み立てを可能とした複数の部品から成り、前記複数の部品それぞれには組み合わせ状態で連結するための部品連結部が設けられており、当該連結によって前記玩具の形態と前記別の玩具の形態と前記合体玩具の形態とは異形態の別の合体玩具を作製可能に構成されている、
玩具内包入浴剤。
【請求項２】
前記玩具と前記別の玩具とは形態が異なる、
請求項１に記載の玩具内包入浴剤。
【請求項３】
前記玩具と連結可能な前記別の玩具の数は１以上である、
請求項１または２に記載の玩具内包入浴剤。
【請求項４】
前記玩具と前記別の玩具は水に対して浮揚可能に構成されている、
請求項１〜３のいずれか１項に記載の玩具内包入浴剤。
【請求項５】
前記玩具と前記別の玩具は玩具載置面に所定姿勢で載置可能に構成されている、
請求項１〜４のいずれか１項に記載の玩具内包入浴剤。
【請求項６】
前記玩具と前記別の玩具は変位可能な部分を備える、
請求項１〜５のいずれか１項に記載の玩具内包入浴剤。
【請求項７】
前記玩具と前記別の玩具は複数の部品から成り、前記固形入浴剤が溶解した状態において前記複数の部品のうちの少なくとも１つが前記変位可能となる部分に該当する、
請求項６に記載の玩具内包入浴剤。
【請求項８】
前記玩具連結部は着脱可能に嵌め合わせ可能な凸部と凹部の一方から成る、
請求項１〜７のいずれか１項に記載の玩具内包入浴剤。
【請求項９】
前記合体玩具は玩具載置面に所定姿勢で載置可能に構成されている、
請求項１〜８のいずれか１項に記載の玩具内包入浴剤。
【請求項１０】
前記部品連結部は嵌め合い可能な凸部と凹部の一方から成る、
請求項１〜９のいずれか１項に記載の玩具内包入浴剤。
【請求項１１】
前記部品連結部は連結相手を制限可能な形状に形成される、
請求項１〜１０のいずれか１項に記載の玩具内包入浴剤。
【請求項１２】
前記別の合体玩具は玩具載置面に所定姿勢で載置可能に構成されている、
請求項１〜１１のいずれか１項に記載の玩具内包入浴剤。
【請求項１３】
前記固形入浴剤は発泡剤を含む、
請求項１〜１２のいずれか１項に記載の玩具内包入浴剤。
【請求項１４】
前記固形入浴剤は着色剤を含む、
請求項１〜１３のいずれか１項に記載の玩具内包入浴剤。
【請求項１５】
前記固形入浴剤は芳香剤を含む、
請求項１〜１４のいずれか１項に記載の玩具内包入浴剤。
【請求項１６】
前記固形入浴剤の前記所定外形は卵型である、
請求項１〜１５のいずれか１項に記載の玩具内包入浴剤。
【請求項１７】
前記請求項１〜１６に記載の前記玩具内包入浴剤を２個以上備える、
玩具内包入浴剤セット。
【発明の詳細な説明】
【技術分野】
【０００１】
本発明は、固形入浴剤に玩具を内包した玩具内包入浴剤に関する。
【背景技術】
【０００２】
後記特許文献１には、水溶性の固形入浴剤内に比重が１以下の玩具を収容した玩具入り入浴剤が開示されている。この玩具入り入浴剤は、当該玩具入り入浴剤を浴槽内に投入して固形入浴剤が湯に溶けたときに玩具を湯面に浮揚させることをその主眼としている。
【０００３】
前記玩具入り入浴剤は、当該玩具入り入浴剤を浴槽内に投入した後に玩具を湯面に浮揚させて入手できる点で面白みがあるものの、入手した玩具はそのままの態様で遊ぶことしかできないために当該玩具に対する興味や関心が失われやすい。
【先行技術文献】
【特許文献】
【０００４】
【特許文献１】実開平０５−０１５９４５号公報
【発明の概要】
【発明が解決しようとする課題】
【０００５】
本発明が解決しようとする課題は、入手後の玩具の遊戯性を高めて今までに無い興趣を使用者に提供できる玩具内包入浴剤を提供することにある。
【課題を解決するための手段】
【０００６】
本発明に係る玩具内包入浴剤は、所定外形を成す水溶性の固形入浴剤と、前記固形入浴剤に内包された玩具とを備えた玩具内包入浴剤であって、前記玩具は、前記玩具内包入浴剤とは別の玩具内包入浴剤の固形入浴剤、又は前記固形入浴剤に内包された別の玩具と連結可能に構成され、前記玩具と前記別の玩具にはそのままの状態で連結するための玩具連結部が設けられており、当該連結によって前記玩具の形態と前記別の玩具の形態とは異形態の合体玩具を作製可能に構成され、前記玩具と前記別の玩具とは分解および組み立てを可能とした複数の部品から成り、前記複数の部品それぞれには組み合わせ状態で連結するための部品連結部が設けられており、当該連結によって前記玩具の形態と前記別の玩具の形態と前記合体玩具の形態とは異形態の別の合体玩具を作製可能に構成されている。
【発明の効果】
【０００７】
本発明に係る玩具内包入浴剤によれば、入手後の玩具の遊戯性を高めて今までに無い興趣を使用者に提供することができる。
【図面の簡単な説明】
【０００８】
【図１】図１（Ａ）は本発明に係る玩具内包入浴剤の一例を図、図１（Ｂ）は図１（Ａ）に例示した玩具の左側面図、図１（Ｃ）は図１（Ｂ）に例示した玩具を構成する部品の説明図である。
【図２】図２（Ａ）は本発明を適用した別の玩具内包入浴剤の一例を示す図、図２（Ｂ）は図２（Ａ）に例示した別の玩具の左側面図、図２（Ｃ）は図２（Ｂ）に例示した別の玩具を構成する部品の説明図である。
【図３】図３は図１（Ｂ）に例示した玩具と図２（Ｂ）に例示した別の玩具をそのままの状態で連結して得た合体玩具の一例を示す左側面図である。
【図４】図４（Ａ）〜図４（Ｄ）は後記別の合体玩具を作製するときに用いられる前記玩具を構成する部品の説明図である。
【図５】図５（Ａ）〜図５（Ｃ）は後記別の合体玩具を作製するときに用いられ前記別の玩具を構成する部品の説明図である。
【図６】図６（Ａ）は図４（Ａ）〜図４（Ｄ）に例示した玩具の部品と図５（Ａ）〜図５（Ｃ）に例示した別の玩具の部品とを組み合わせ状態で連結して得た別の合体玩具の一例を示す左側面図、図６（Ａ）は同別の合体玩具の右側面図である。
【発明を実施するための形態】
【０００９】
以下の説明では、便宜上、図１（Ｂ）および図２（Ｂ）の前側を前、後側を後、手前側を左、奥側を右、上側を上と、下側を下と表記し、他の図においても同様に向きを表記する。
【００１０】
《玩具内包入浴剤１００および２００》
図１（Ａ）は玩具内包入浴剤の一例を示すものであり、当該玩具内包入浴剤１００は、卵型の外形を成す水溶性の固形入浴剤１１０と、固形入浴剤１１０に内包された玩具１２０とを備えている。
【００１１】
図２（Ａ）は別の玩具内包入浴剤の一例を示すものであり、当該別の玩具内包入浴剤２００は、玩具内包入浴剤１００と同一サイズの卵型の外形を成す水溶性の固形入浴剤２１０と、固形入浴剤２１０に内包された別の玩具２２０とを備えている。
【００１２】
すなわち、玩具内包入浴剤１００と別の玩具内包入浴剤２００にあっては、固形入浴剤１１０および２１０が、例えば浴槽内の湯に溶けるまでは玩具１２０と別の玩具２２０を視認することはできない。
【００１３】
また、図１（Ｂ）および図２（Ｂ）から分かるように、玩具内包入浴剤１００の玩具１２０と、別の玩具内包入浴剤２００の別の玩具２２０は、形態が異なる。具体的には、図１（Ｂ）には玩具１２０として２足歩行タイプの恐竜を模したもの例示し、図２（Ｂ）には別の玩具２２０として魚タイプの恐竜を模したものを例示している。
【００１４】
さらに、玩具１２０と別の玩具２２０は１つの密閉空洞またはこれよりも小さな複数の密閉空洞（いずれも図示省略）を有しているため、後述するように固形入浴剤１１０および２１０が例えば浴槽内の湯に溶ける過程で湯面に浮揚可能である。この浮揚は水に対するものであるため、浴槽内の湯が加熱途中の湯や加熱前の常温水であっても同様である。
【００１５】
《固形入浴剤１１０および２１０》
固形入浴剤１１０および２１０は、温浴効果がある硫酸ナトリウム、硫酸マグネシウム、炭酸ナトリウム、炭酸水素ナトリウム、炭酸カルシウム、塩化ナトリウム等のいずれか１種を主成分としたものであり、必要に応じて公知の生薬類、酵素類、保湿剤を適宜含んでいる。
【００１６】
なお、固形入浴剤１１０および２１０は、温浴効果を高めるための公知の発砲剤、例えば炭酸ナトリウム、炭酸水素ナトリウム等の炭酸塩と、コハク酸、フマル酸、リンゴ酸等の有機酸とを組み合わせたものを含んでいてもよい。
【００１７】
また、固形入浴剤１１０および２１０は、視覚上の温浴効果を得るための公知の着色剤、例えばリボフラビン、カロチン、クロロフィル、色素（黄色２０２号、黄色４号、青色１号、緑色２０１号、緑色２０４号等）等を含んでいてもよい。
【００１８】
さらに、固形入浴剤１１０および２１０は、嗅覚上の温浴効果を得るための公知の芳香剤、例えば公知の天然香料、合成香料等を含んでいてもよい。
【００１９】
先に述べた玩具１２０と別の玩具２２０は水に対して浮揚可能であるが、初期の固形入浴剤１１０および２１０の質量は玩具１２０と別の玩具２２０の浮力に勝るように調整されているため、例えば浴槽内の湯に玩具内包入浴剤１００と別の玩具内包入浴剤２００を投入するとこれらは浴槽内の底に沈むものの、固形入浴剤１１０および２１０が時間経過に伴って湯に溶ける過程で質量と浮力とのバランスが崩れると、玩具１２０と別の玩具２２０が湯面に浮揚する。
【００２０】
すなわち、使用者は、原則として、玩具１２０と別の玩具２２０が湯面に浮揚した段階でこれらを入手できることになる。浮揚した段階であっても玩具１２０と別の玩具２２０に固形入浴剤１１０および２１０の一部が付着しているような場合には、当該玩具１２０と別の玩具２２０を湯内で揺り動かして取り除けばよい。
【００２１】
《玩具１２０と別の玩具２２０》
玩具１２０は、図１（Ｃ）に例示したように、頭部部品１２１と胴部部品１２２と尾部部品１２３とから成り、各部品１２１、１２２および１２３の材料は例えば合成樹脂、合成ゴム、エラストマー等である。この玩具１２０は、当該玩具１２０を玩具載置面（図１（Ｂ）の２点鎖線を参照、符号省略）に図示の姿勢で載置するための脚部１２０ａを胴部部品１２２に有している。
【００２２】
頭部部品１２１の後面には円柱状の凸部から成る部品連結部１２１ａが設けられ、胴部部品１２２の前面には当該部品連結部１２１ａを着脱可能に、かつ、回転可能に嵌め合わせ可能な円柱状の凹部から成る部品連結部１２２ａが設けられている。すなわち、図１（Ｂ）の状態では頭部部品１２１を胴部部品１２２に対して破線矢印方向に回転させることが可能である。
【００２３】
また、尾部部品１２３の前面には円柱状の凸部から成る部品連結部１２３ａが設けられ、胴部部品１２２の後面には当該部品連結部１２３ａを着脱可能に、かつ、回転可能に嵌め合わせ可能な円柱状の凹部から成る部品連結部１２２ｂが設けられている。すなわち、図１（Ｂ）の状態では尾部部品１２３を胴部部品１２２に対して破線矢印方向に回転させることが可能である。
【００２４】
さらに、胴部部品１２２の上面には、玩具１２０と図２（Ｂ）に例示した別の玩具２２０とをそのままの状態で連結するための玩具連結部ＪＰ１２０として円柱状の凸部が設けられている。
【００２５】
すなわち、玩具１２０は、各部品１２１、１２２および１２３の少なくとも１つを回転に基づき変位させることができるため、使用者は当該変位による態様変化を楽しむことができる。また、玩具１２０を構成する各部品１２１、１２２および１２３は分解および組み立てが可能であるため、この点に係る興趣も使用者に供与することができる。なお、上述の各部品は、固形入浴剤１１０および２１０が溶解した状態において変位させることができるが、溶解していない状態においては変位させることができない。
【００２６】
一方、別の玩具２２０は、図２（Ｃ）に例示したように、頭部部品２２１と胴部部品２２２と尾びれ部部品２２３とから成り、各部品２２１、２２２および２２３の材料は例えば合成樹脂、合成ゴム、エラストマー等である。この別の玩具２２０は、当該別の玩具２２０を玩具載置面（図２（Ｂ）の２点鎖線を参照、符号省略）に図示の姿勢で載置するための胸びれ部２２０ａを胴部部品２２２に有している。
【００２７】
頭部部品２２１の後面には円柱状の凸部から成る連結部２２１ａが設けられ、胴部部品２２２の前面には当該連結部２２１ａを着脱可能に、かつ、回転可能に嵌め合わせ可能な円柱状の凹部から成る連結部２２２ａが設けられている。すなわち、図２（Ｂ）の状態では頭部部品２２１を胴部部品２２２に対して破線矢印方向に回転させることが可能である。
【００２８】
また、尾びれ部部品２２３の前面には円柱状の凸部から成る連結部２２３ａが設けられ、胴部部品２２２の後面には当該連結部２２３ａを着脱可能に、かつ、回転可能に嵌め合わせ可能な円柱状の凹部から成る連結部２２２ｂが設けられている。すなわち、図２（Ｂ）の状態では尾びれ部部品２２３を胴部部品２２２に対して破線矢印方向に回転させることが可能である。
【００２９】
さらに、胴部部品２２２の下面には、別の玩具２２０と図１（Ｂ）に例示した玩具１２０とをそのままの状態で連結するための玩具連結部ＪＰ２２０として円柱状の凹部が設けられている。この玩具連結部ＪＰ２２０には、玩具１２０の玩具連結部ＪＰ１２０を着脱可能に、かつ、回転可能に嵌め合わせ可能である。
【００３０】
すなわち、別の玩具２２０は、各部品２２１、２２２および２２３の少なくとも１つの回転に基づき変位させることができるため、使用者は当該変位による態様変化を楽しむことができる。また、玩具２２０を構成する各部品２２１、２２２および２２３は分解および組み立てが可能であるため、この点に係る興趣も使用者に供与することができる。
【００３１】
《合体玩具３００》
図３に例示した合体玩具３００は、図１（Ｂ）に例示した玩具１２０と図２（Ｂ）に例示した別の玩具２２０をそのままの状態で連結して得たものである。この合体玩具３００を作製するときには、玩具１２０の玩具連結部ＪＰ１２０（凸部）に別の玩具２２０の玩具連結部ＪＰ１２０（凹部）を嵌め込んで、両者の向きを調整すればよい。
【００３２】
この合体玩具３００の形態は、図１（Ｂ）に例示した玩具１２０の形態と図２（Ｂ）に例示した別の玩具２２０の形態とは異形態である。また、合体玩具３００は、玩具１２０の脚部１２０ａを利用して、玩具載置面（図３の２点鎖線を参照、符号省略）に図示の姿勢で載置することができる。
【００３３】
すなわち、図１（Ｂ）に例示した玩具１２０と図２（Ｂ）に例示した別の玩具２２０とをそのまま状態で連結することにより、これら玩具１２０の形態と別の玩具２２０の形態とは異形態の合体玩具３００を作製できるため、使用者は当該連結による形態変化、ならびに、連結解除後の再作製を楽しむことができる。
【００３４】
《別の合体玩具４００》
図６に例示した別の合体玩具４００は、図１（Ｂ）に例示した玩具１２０が分解可能な頭部部品１２１、胴部部品１２２および尾部部品１２３から成り、かつ、図２（Ｂ）に例示した玩具２２０が分解可能な頭部部品２２１、胴部部品２２２および尾びれ部部品２２３から成ることを利用して、分解後の各部品１２１、１２２、１２３、２２１、２２２および２２３を適宜組み合わせた状態で連結して得たものである。
【００３５】
この別の合体玩具４００を作製するときには、分解後の各部品１２１、１２２、１２３、２２１、２２２および２２３を適宜組み合わせた状態で連結するための第２の部品連結部を各部品１２１、１２２、１２３、２２１、２２２および２２３に予め設けておく必要がある。
【００３６】
図４は玩具１２０を構成する各１２１、１２２および１２３に前記第２の部品連結部を設けた例を示す。
【００３７】
頭部部品１２１の下面には、胴部部品１２２の上面に設けられた玩具連結部ＪＰ１２０（凸部）に着脱可能に、かつ、回転可能に嵌め合わせ可能な円柱状の凹部から成る第２の部品連結部ＪＰ１２１が設けられている（図４（Ａ）を参照）。ちなみに、この場合の胴部部品１２２の上面の玩具連結部ＪＰ１２０（凸部）は第２の部品連結部と兼用の連結部となっている。
【００３８】
また、胴部部品１２２の左側の脚部１２０ａの側面下部には、円柱状の凹部から成る第２の部品連結部ＪＰ１２２ａが設けられ、同側面上部には、円柱状の凹部から成る第２の部品連結部ＪＰ１２２ｂが設けられている（図４（Ｂ）を参照）。
【００３９】
さらに、胴部部品１２２の右側の脚部１２０ａの側面下部には、円柱状の凹部から成る第２の部品連結部ＪＰ１２２ｃが設けられ、同側面上部には、円柱状の凹部から成る第２の部品連結部ＪＰ１２２ｄが設けられている（図４（Ｃ）を参照）。
【００４０】
さらに、尾部部品１２３の右側の側面前部には、胴部部品１２２の右側の脚部１２０ａの側面上部に設けられた第２の部品連結部ＪＰ１２２ｄ（凹部）に着脱可能に、かつ、回転可能に嵌め合わせ可能な円柱状の凸部から成る第２の部品連結部ＪＰ１２３が設けられている（図４（Ｄ）を参照）。
【００４１】
図５は別の玩具２２０を構成する各２２１、２２２および２２３に前記第２の部品連結部を設けた例を示す。
【００４２】
頭部部品２２１の右側の側面後部には、玩具１２０の胴部部品１２２の右側の脚部１２０ａの側面下部に設けられた第２の部品連結部ＪＰ１２２ｃ（凹部、図４（Ｃ）を参照）に着脱可能に、かつ、回転可能に嵌め合わせ可能な円柱状の凸部から成る第２の部品連結部ＪＰ２２１が設けられている（図５（Ａ）を参照）。
【００４３】
また、胴部部品２２２の右側の側面前部には、玩具１２０の胴部部品１２２の左側の脚部１２０ａの側面下部に設けられた第２の部品連結部ＪＰ１２２ａ（凹部、図４（Ｂ）を参照）に着脱可能に、かつ、回転可能に嵌め合わせ可能な円柱状の凸部から成る第２の部品連結部ＪＰ２２２が設けられている（図５（Ｂ）を参照）。
【００４４】
さらに、尾びれ部部品２２３の左側の側面前部には、玩具１２０の胴部部品１２２の右側の脚部１２０ａの側面上部に設けられた第２の部品連結部ＪＰ１２２ｄ（凹部、図４（Ｃ）を参照）に着脱可能に、かつ、回転可能に嵌め合わせ可能な円柱状の凸部から成る第２の部品連結部ＪＰ２２３が設けられている（図５（Ｃ）を参照）。
【００４５】
図６に例示した別の合体玩具４００（図６（Ａ）は別の合体玩具４００の左側面図、図６（Ｂ）は別の合体玩具４００の右側面図）を作製するには、まず、図４に例示した玩具１２０の分解後の各部品１２１、１２２および１２３と、図５に例示した別の玩具２２０の分解後の各部品２２１、２２２および２２３を用意する。
【００４６】
そして、玩具１２０の胴部部品１２２の上面の玩具連結部ＪＰ１２０（凸部、第２の連結部と兼用）に、同玩具１２０の頭部部品１２１の下面の第２の部品連結部ＪＰ１２１（凹部）を嵌め込んで、両者の向きを調整する。
【００４７】
そして、玩具１２０の胴部部品１２２の右側の脚部１２０ａの側面下部の第２の部品連結部ＪＰ１２２ｃ（凹部）に、別の玩具２２０の頭部部品２２１の右側の側面後部の第２の部品連結部ＪＰ１２２ｃを嵌め込んで、両者の向きを調整する。
【００４８】
また、玩具１２０の胴部部品１２２の右側の脚部１２０ａの側面上部の第２の部品連結部ＪＰ１２２ｄ（凹部）に、別の玩具２２０の尾びれ部部品２２３の左側の側面前部の第２の部品連結部ＪＰ２２３を嵌め込んで、両者の向きを調整する。
【００４９】
そして、玩具１２０の胴部部品１２２の左側の脚部１２０ａの側面下部の第２の部品連結部ＪＰ１２２ａ（凹部）に、別の玩具２２０の胴部部品２２２の右側の側面前部の第２の部品連結部ＪＰ１２２ｃを嵌め込んで、両者の向きを調整する。
【００５０】
また、玩具１２０の胴部部品１２２の左側の脚部１２０ａの側面上部の第２の部品連結部ＪＰ１２２ｂ（凹部）に、同玩具１２０の尾部部品１２３の右側の側面前部の第２の部品連結部ＪＰ１２３を嵌め込んで、両者の向きを調整する。
【００５１】
図６から分かるように、作製後の別の合体玩具４００は、玩具１２０の頭部部品１２１が頭部を成し、玩具１２０の胴部部品１２２が胴部を成し、別の玩具２２０の頭部部品２２１が左脚部を成し、別の玩具２２０の尾びれ部部品２２３が左腕部を成し、別の玩具２２０の胴部部品２２２が右脚部を成し、玩具１２０の尾部部品１２３が右腕部を成す形態を有する。
【００５２】
この別の合体玩具４００の形態は、図１（Ｂ）に例示した玩具１２０の形態と図２（Ｂ）に例示した別の玩具２２０の形態と図３に例示した合体玩具３００の形態とは明らかに異形態である。また、別の合体玩具４００は、左脚部を成す別の玩具２２０の頭部部品２２１と、右脚部を成す玩具２２０の胴部部品２２２を利用して、玩具載置面（図６の２点鎖線を参照、符号省略）に図示の姿勢で載置することができる。
【００５３】
すなわち、図１（Ｂ）に例示した玩具１２０と図２（Ｂ）に例示した別の玩具２２０の分解後の各部品１２１、１２２、１２３、２２１、２２２および２２３を適宜組み合わせた状態で連結することにより、玩具１２０の形態と別の玩具２２０の形態と図３に例示した合体玩具３００の形態とは異形態の別の合体玩具４００を作製できるため、使用者は当該連結による形態変化、ならびに、連結解除後の再作製を楽しむことができる。とりわけ、別の合体玩具４００の形態が、玩具１２０の形態と別の玩具２２０の形態と図３に例示した合体玩具３００の形態とは明らかに異なる形態となるため、この点に係る格別な興趣も使用者に供与することができる。
【００５４】
《玩具内包入浴剤に係る補足》
（１）図１（Ａ）と図２（Ａ）に卵型の外形を成す玩具内包入浴剤１００と玩具内包入浴剤２００を例示したが、玩具内包入浴剤の外形（固形入浴剤の外形）は卵形以外の立体形状、例えば円柱形や角柱形や球形や直方体等としてもよい。また、１つの玩具内包入浴剤（固形入浴剤）に１つの玩具を内包させたものを示したが、１つの玩具内包入浴剤（固形入浴剤）に２以上の玩具を内包させてもよく、このようにすれば例えば前記玩具１２０と前記別の玩具２２０を同時に入手できる他、これらに加えて他の別の玩具を同時に入手することが可能となる。
【００５５】
（２）図１（Ｂ）と図２（Ｂ）に恐竜を模した玩具１２０と別の玩具２２０を示したが、これらは恐竜以外の生物または無生物、例えばキャラクターや動物や車両を模したものであってもよい。また、玩具１２０と別の玩具２２０として３部品から成るものを例示したが、２部品または４部品以上から成る玩具を用いてもよい。
【００５６】
（３）図３に図１（Ｂ）に例示した玩具１２０と図２（Ｂ）に例示した別の玩具１２０をそのままの状態で連結して得た合体玩具３００を例示したが、同様の玩具連結部が設けられた３以上の玩具をそのままの状態で連結させて合体玩具を作製できるようにしてもよく、このようにすれば合体玩具の形態バリエーションを増すことが可能となる。
【００５７】
（４）図４に図１（Ｂ）に例示した玩具１２０の各部品１２１、１２２および１２３と図２（Ｂ）に例示した別の玩具２２０の各部品２２１、２２２および２２３を適宜組み合わせた状態で連結して得た合体玩具４００を示したが、３以上の玩具を対象とし、当該３以上の玩具の部品を適宜組み合わせた状態で連結して別の合体玩具を作製できるようにしてもよく、このようにすれば別の合体玩具の形態バリエーションを増すことが可能となる。
【００５８】
（５）図１（Ｂ）および図１（Ｃ）、図２（Ｂ）および図２（Ｃ）、図４および図５に部品連結部、玩具連結部および第２の部品連結部として円柱状の凸部と円柱状の凹部の一方を用いたものを例示したが、円柱状の凸部を球状の凸部に変え、円柱状の凹部を半球よりも大きな球欠状の凹部に変えて、当該凸部と当該凹部とを着脱可能に、かつ、回転可能に嵌め合わせることができるようにしてもよい。無論、各連結部は少なくとも着脱可能な嵌め合わせが可能であればその形状は任意である。また、図４および図５に例示した第２の部品連結部は、図１（Ｂ）および図１（Ｃ）に例示した玩具連結部ＪＰ１２０のように玩具連結部と兼用としてもよいし、部品連結部と兼用としてもよく、兼用数を増せば対象となる２以上の玩具の見栄え低下を抑制することが可能となる。
【００５９】
（６）図１（Ｂ）および図１（Ｃ）、図２（Ｂ）および図２（Ｃ）、図４および図５に例示した部品連結部、玩具連結部および第２の部品連結部として同一サイズの凸部と凹部の一方を用いたものを例示したが、各連結部、とりわけ第２の部品連結部にサイズが異なる凸部と凹部を２種以上用いることによって、第２の部品連結部の連結相手を制限するようにしてもよい。このようにすれば、サイズの違いによってどの凸部をどの凹部に嵌め込めばよいかを目視により判断できるようになるため、別の合体玩具の作製にさらなる面白みを付加することが可能となる。
【００６０】
（７）玩具内包入浴剤の販売に関しては、例えば図１（Ａ）に例示した玩具内包入浴剤１００をフィルム等で包装したもの１個を専用箱に入れ、また、図２（Ａ）に例示した玩具内包入浴剤２００をフィルム等で包装したもの１個を専用箱に入れて販売する単品販売の他、図１（Ａ）に例示した玩具内包入浴剤１００をフィルム等で包装したものと図２（Ａ）に例示した玩具内包入浴剤２００をフィルム等で包装したものの２個を専用箱に入れて販売するセット販売や、フィルム等で包装された３個以上の玩具内包入浴剤を専用箱に入れて販売するセット販売が可能である。
【符号の説明】
【００６１】
１００…玩具内包入浴剤、１１０…固形入浴剤、１２０…玩具、１２１…頭部部品、１２２…胴部部品、１２３…尾部部品、２００…別の玩具内包入浴剤、２１０…固形入浴剤、２２０…別の玩具、２２１…頭部部品、２２２…胴部部品、２２３…尾びれ部部品、１２１ａ，１２２ａ，１２２ｂ，１２３ａ，２２１ａ，２２２ａ，２２２ｂ，２２３ａ…部品連結部、ＪＰ１２０…玩具連結部、ＪＰ２２０…玩具連結部、ＪＰ１２１，ＪＰ１２２ａ，ＪＰ１２２ｂ，ＪＰ１２２ｃ，ＪＰ１２２ｄ，ＪＰ１２３，ＪＰ２２１，ＪＰ２２２，ＪＰ２２３…第２の部品連結部。
【要約】      （修正有）【課題】入手後の玩具の遊戯性を高めて今までに無い興趣を使用者に提供できる玩具内包入浴剤を提供する。【解決手段】玩具内包入浴剤１００は、卵型の外形を成す水溶性の固形入浴剤１１０と、固形入浴剤に内包された玩具１２０とを備える。玩具１２０は、玩具内包入浴剤１００と別の玩具内包入浴剤の固形入浴剤、または、固形入浴剤１１０に内包された別の玩具と連結可能に構成されている。【選択図】図１【図１】
0006733013.tif 000002
【図２】
0006733013.tif 000003
【図３】
0006733013.tif 000004
【図４】
0006733013.tif 000005
【図５】
0006733013.tif 000006
【図６】
0006733013.tif 000007